(57)【特許請求の範囲】
【請求項１】
画像を撮像する撮像装置であって、
画像を結像するレンズ部と、
前記レンズ部の前面の閉位置及び前記前面以外の開位置の間で移動可能なレンズカバーと、
前記レンズカバーに取り付けられたベースと、
前記レンズカバーが前記開位置及び前記閉位置の少なくとも一方に位置するときに、前記レンズカバーを前記開位置及び前記閉位置の一方から他方に付勢する開閉用バネと、
前記開閉用バネと反対の方向へ前記レンズカバーを付勢するモータと
を備え、
前記開閉用バネは、
前記レンズカバーに設けられたカバー側取付部及び前記ベースに取り付けられたベース側取付部に取り付けられた両端と、
前記カバー側取付部と前記ベース側取付部との間のスペースに前記開閉用バネを構成するバネ部材が周回する周回部と
を有し、
前記レンズカバーの開閉に伴う前記バネ両端の距離の変化に応じて、前記周回部は前記レンズカバーを付勢する力を発生することを特徴とする撮像装置。
【請求項２】
前記ベースは、
前記レンズカバーが前記開位置に位置するときに、前記レンズカバーの端が当接する開位置停止部と、
前記レンズカバーが前記閉位置に位置するときに、前記レンズカバーの他の端が当接する閉位置停止部と
を有することを特徴とする請求項１に記載の撮像装置。
【請求項３】
前記レンズカバーは、
前記レンズ部に対応した形状のカバー板部と、
前記カバー板部から板面方向に延びるカバー足部と
を有し、
前記レンズカバーは、前記カバー足部に設けられた回動軸を中心に回動することを特徴とする請求項１または２に記載の撮像装置。
【請求項４】
前記ベースは、前記レンズカバーが前記開位置及び前記閉位置の間を移動するときに、前記カバー板部のうち前記回動軸から最も離れた端部をガイドするガイドを有することを特徴とする請求項３に記載の撮像装置。
【請求項５】
前記撮像装置への電力の供給を開始及び停止する電源スイッチをさらに備え、
前記電源スイッチがオンになると、前記モータは、前記レンズカバーを前記カバー開方向へ移動させることを特徴とする請求項１乃至４に記載の撮像装置。
【請求項６】
前記撮像装置への電力の供給を開始及び停止する電源スイッチをさらに備え、
前記電源スイッチがオフになると、前記開閉用モータは、前記レンズカバーを前記カバー閉方向へ移動させ、
前記レンズカバーが前記閉位置に停止すると、前記モータが停止し、電源が切れることを特徴とする請求項１乃至５に記載の撮像装置。
【請求項７】
前記画像を撮影するときに前記撮像装置内の収納位置から前記撮像装置外の突出位置に突出するフラッシュ部をさらに備え、
前記開閉用モータが前記レンズカバーを前記カバー開方向へ移動させると、前記フラッシュ部が突出することを特徴とする請求項１乃至６のいずれかに記載の撮像装置。
【請求項８】
前記電源スイッチをオンにすると、
前記開閉用モータは、前記レンズカバーを前記カバー開方向へ移動させ、前記フラッシュ部は突出することを特徴とする請求項７に記載の撮像装置。
【発明の詳細な説明】
【０００１】
【発明の属する技術分野】
本発明は、撮像装置に関する。特に本発明は、開閉自在なレンズカバーを有する撮像装置に関する。
【０００２】
【従来の技術】
従来の撮像装置は、撮影を行わないときに、埃の付着や、摩擦によってレンズに傷が付いたりするのを防ぐために、レンズを保護する開閉自在なレンズカバーを備える。レンズカバーの開閉動作には、様々な機構が採用されている。例えば、直線運動や回動によって開位置及び閉位置の間を移動するレンズカバーが知られている。
【０００３】
【発明が解決しようとする課題】
近年、撮像装置に対するユーザの要求は多様化しており、より小型で、より見栄えのよい撮像装置が好まれている。これに伴って、撮像装置を構成する各部品、特に駆動系の部品の小型化と、これを実現するための駆動力の抑制が要求される。レンズカバーについても、外観上優れかつ利便性のよいものが要求される。
【０００４】
そこで本発明は、上記の課題を解決することのできる撮像装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像を撮像する撮像装置であって、画像を結像するレンズ部と、前記レンズ部の前面の閉位置及び前記前面以外の開位置の間で移動可能なレンズカバーと、前記レンズカバーに取り付けられたベースと、  前記レンズカバーが前記開位置及び前記閉位置の少なくとも一方に位置するときに、前記レンズカバーを付勢する開閉用バネと、前記開閉用バネと反対の方向へ前記レンズカバーを付勢するモータとを備える。前記開閉用バネは、前記レンズカバーに設けられたカバー側取付部及び前記ベースに取り付けられたベース側取付部に取り付けられた両端と、前記カバー側取付部と前記ベース側取付部との間のスペースに前記開閉用バネを構成するバネ部材が周回する周回部とを有し、前記レンズカバーの開閉に伴う前記バネ両端の距離の変化に応じて、前記周回部は前記レンズカバーを付勢する力を発生する。
【０００６】
前記ベースは、前記レンズカバーが前記開位置に位置するときに、前記レンズカバーの端が当接する開位置停止部と、前記レンズカバーが前記閉位置に位置するときに、前記レンズカバーの他の端が当接する閉位置停止部とを有してもよい。
【０００７】
前記開閉用バネは、前記レンズカバーを前記開位置及び前記閉位置の一方から他方に付勢してもよい。
【０００８】
前記開閉用バネは、前記レンズカバーが前記開位置に位置するときに、前記レンズカバーをカバー開方向に付勢し、前記レンズカバーが前記閉位置に位置するときに、前記レンズカバーをカバー閉方向に付勢するように配置されてもよい。
【０００９】
前記レンズカバーが前記開位置及び前記閉位置の間の所定の開閉切換位置に位置するときに前記開閉用バネの両端が最も接近するように、前記開閉用バネの両端が取り付けられていてもよい。
【００１０】
前記レンズカバーが前記閉位置に位置するときに、前記開閉用バネが前記カバー閉方向に付勢する力は、前記レンズカバーが前記開位置に位置するときに、前記開閉用バネが前記カバー開方向に付勢する力よりも大きくてもよい。
【００１１】
前記レンズカバーは、前記レンズ部に対応した形状のカバー板部と、前記カバー板部から板面方向に延びるカバー足部とを有してもよい。前記レンズカバーは、前記カバー足部に設けられた回動軸を中心に回動してもよい。
【００１２】
前記ベースは、前記レンズカバーが前記開位置及び前記閉位置の間を移動するときに、前記カバー板部のうち前記回動軸から最も離れた端部をガイドするガイドを有してもよい。
【００１３】
前記撮像装置への電力の供給を開始及び停止する電源スイッチをさらに備えてもよい。前記電源スイッチがオンになると、前記モータは、前記レンズカバーを前記カバー開方向へ移動させさせてもよい。
【００１４】
前記撮像装置への電力の供給を開始及び停止する電源スイッチをさらに備えてもよい。前記電源スイッチがオフになると、前記開閉用モータは、前記レンズカバーを前記カバー閉方向へ移動させてもよく、前記レンズカバーが前記閉位置に停止すると、前記モータが停止し、電源が切れてもよい。
【００１５】
前記画像を撮影するときに前記撮像装置内の収納位置から前記撮像装置外の突出位置に突出するフラッシュ部をさらに備えてもよい。前記開閉用モータが前記レンズカバーを前記カバー開方向へ移動させると、前記フラッシュ部が突出してもよい。
前記電源スイッチをオンにすると、前記開閉用モータは、前記レンズカバーを前記カバー開方向へ移動させ、前記フラッシュ部は突出してもよい。
【００１６】
なお上記の発明の概要は、本発明の必要な特徴の全てを列挙したものではなく、これらの特徴群のサブコンビネーションも又発明となりうる。
【００１７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
なお、以下に用いるカバー側取付部及びベース側取付部は、それぞれ特許請求の範囲における「移動端掛け部」及び「固定端掛け部」を示す。
【００１８】
図１は、デジタルカメラ１０前面の外観を示す。デジタルカメラ１０は、前面にレンズ部１２、レンズカバー２０、及び開口部１８を備える。また、デジタルカメラ１０の上部に電源スイッチ１４及びフラッシュ部１６を備える。レンズ部１２は開口部１８の内側に設けられている。レンズカバー２０は、レンズ部１２の前面及び前面以外すなわちデジタルカメラ１０の底部側の間を移動可能にハウジング１００に取り付けられている。撮影を行わないときは、レンズカバー２０は、レンズ部１２の前面に位置してレンズ部１２を保護する。すなわちレンズカバー２０が閉じている。撮影を行うときは、レンズカバー２０はデジタルカメラ１０の底部側に移動し、開口部１８からレンズ部１２が現れて撮影可能になる。すなわちレンズカバー２０が開く。このように、電源スイッチ１４がオンされるとレンズカバー２０は開き、電源スイッチ１４がオフされるとレンズカバー２０は閉じる。すなわち、レンズカバー２０は、電源スイッチ１４に連動する。このように、ユーザからの指示なくレンズカバー２０を開閉することができる。
【００１９】
フラッシュ部１６は、画像を撮影するときにデジタルカメラ１０内部の収納位置に格納され、フラッシュ部１６を使用するときは、デジタルカメラ１０から突出し、突出位置に位置する。図１に示すフラッシュ部１６は、突出位置に位置する。このように、フラッシュ部１６は、収納位置と突出位置との間を移動可能に設けられている。
【００２０】
図２は、デジタルカメラ１０のハウジング１００の裏面及びレンズカバー２０を示す。ハウジング１００の裏面には、レンズカバー２０を取り付けるベース４６が設けられており、レンズカバー２０は、ベース４６に取り付けられた状態でハウジング１００に固定される。レンズカバー２０は、レンズ部１２が外部に現れる開位置２００及びレンズ部１２の前面に位置する閉位置２０２の間を移動する。レンズカバー２０は、レンズ部１２の形状に対応した円状のカバー板部２２と、カバー板部２２からカバー板部２２の板面方向に延びるカバー足部２４とを有する。カバー足部２４は、ハウジング１００に固定された回動軸２６に保持される。レンズカバー２０は、回動軸２６を中心に開位置２００と閉位置２０２との間を回動する。
【００２１】
ハウジング１００は、レンズカバー２０が開位置２００及び閉位置２０２の間を移動するときに、レンズカバー２０をガイドするガイド４４を有する。ガイド４４には、カバー板部２２のうち回動軸２６から最も離れた端部を嵌めるべき溝が設けられている。レンズカバー２０が開位置２００及び閉位置２０２の間を移動するときに、レンズカバー２０は、回動軸２６とガイド４４によって保持される。このように、レンズカバー２０は、貫通孔２８及びカバー板部２２の端部が保持されているので、安定して回動することができる。
【００２２】
ハウジング１００は、レンズカバー２０が開位置２００に位置するときに、カバー板部２２の端が当接する開位置停止部４０と、レンズカバー２０が閉位置２０２に位置するときに、カバー板部２２の他の端が当接する閉位置停止部４２とを有する。このように、カバー板部２２は、開位置２００及び閉位置２０２に位置するときに、それぞれ開位置停止部４０及び閉位置停止部４２に当接する。従って、レンズカバー２０は、安定して停止することができる。
【００２３】
他の形態としては、ベース４６は、開位置停止部４０、閉位置停止部４２、及びガイド４４と一体にハウジング１００に設けられていてもよい。すなわち、レンズカバー２０は、ハウジング１００に直接取り付けられてもよい。
【００２４】
また他の形態としては、開位置停止部４０及び閉位置停止部４２は、レンズカバー２０が嵌まる溝を有し、ガイド４４と一体に設けられてもよい。この場合も、レンズカバー２０は、開位置２００及び閉位置２０２の間を安定して移動し、かつ開位置２００及び閉位置２０２に安定して停止することができる。
【００２５】
図３は、レンズカバー２０を回動軸２６の軸方向から見た図である。レンズカバー２０は、その外周部に線状に設けられた凸部４２を有する。凸部４２は、レンズカバー２０が開位置２００と閉位置２０２の間を回動するときにハウジング１００と当接する。凸部４２は、外周部のほぼ全周に渡って設けられている。このように、凸部４２が線状すなわち連続的に設けられているので、レンズカバー２０は、開位置２００と閉位置２０２との間を回動する場合に、ハウジング１００の面に引っ掛かかることなく滑らかにハウジング１００上を摺動することができる。
また、凸部４２のうちカバー支軸６０から最長距離の部分及び最短距離の部分は、切り欠かれている。このように、最長距離の部分の凸部４２が切り欠かれているので、カバー支軸６０から最長部分までの距離が短くなり、レンズカバー２０が回動する軌跡が占める面積を少なくすることができる。
【００２６】
図４は、レンズカバー２０を回動軸２６の軸方向に対して垂直な方向から見た断面図である。凸部４２は、ハーフパンチを施され、ハウジング１００側にわずかに凸をなし、凸の上部がハウジング１００に当接する。他の形態としては、凸部４２は、レンズカバー２０の凸部４２以外の部分に比べてハウジング１００側に傾いた状態に曲げられてもよい。この場合も凸部４２は、ハウジング１００に当接する。レンズカバー２０は、凸部４２の上部がハウジング１００に当接した状態で開位置２００と閉位置２０２との間を回動する。そのため、レンズカバー２０全体がハウジング１００に当接した状態で回動する場合に比べて摺動抵抗が少ない。従って、より小さな力で、レンズカバー２０を回動させることができる。また、レンズカバー２０のうち凸部４２以外の部分は、他の部材と接触しないので、摺動するときに傷が付かない。従って、レンズカバー２０のうち開口部１８から外部に露出する部分は、レンズカバー２０の開閉を繰り返しても、傷付くことがなく外観上良好な状態を保つことができる。他の形態としては、閉位置停止部４２として、レンズカバー２０の外周部に凸状の部材を接着してもよい。
【００２７】
図５は、ハウジング１００の裏面に取り付けられたレンズカバー２０と、その開閉を担う開閉用バネ５０及びモータ７０の構成を示す斜視図である。レンズカバー２０は、カバー足部２４に貫通穴２８、ピン３０、及び移動端掛け部３２を有する。回動軸２６は、貫通穴２８を貫通し、レンズカバー２０を回動可能に保持する。開閉用バネ５０の一端は、ハウジング１００に設けられた固定端掛け部３４に掛止される。移動端掛け部３２は、開閉用バネ５０の他端を掛止し、レンズカバー２０を付勢する。
【００２８】
モータ７０は、レンズカバー２０を開位置２００及び閉位置２０２の間で回動させる。モータ７０は、凹部７４及び支軸７２を有する。凹部７４は、コの字を呈し、支軸７２に回動可能に保持される。凹部７４がピン３０を移動可能に挟み込んだ状態で、モータ７０は、レンズカバー２０を付勢する。レンズカバー２０は、モータ７０に従動して、開位置２００及び閉位置２０２の間を回動する。レンズカバー２０が開位置２００と閉位置２０２の間を回動すると、ピン３０と支軸７２の間の距離は変化する。凹部７４は、レンズカバー２０が開位置２００及び閉位置２０２の間を移動するときに、ピン３０が凹部７４から外れないように形成されている。これによって、ピン３０は、安定して凹部７４に嵌まることができる。
【００２９】
図６は、図５に示したカバー足部２４、開閉用バネ５０、及びモータ７０を拡大して示す。開閉用バネ５０は、周回部４６の両端に、固定端５２及び移動端５４を有する。固定端５２は、固定端掛け部３４に掛止され、移動端５４は、移動端掛け部３２に掛止される。移動端掛け部３２と固定端掛け部３４の間のスペースには、バネ部材が周回する周回部５６が設けられている。
【００３０】
レンズカバー２０が開位置２００及び閉位置２０２の間を移動すると、固定端５２及び移動端５４の間のバネ端距離８０は変化する。バネ端距離８０の変化に応じて周回部５６はレンズカバー２０を付勢する力を発生する。これによって、開閉用バネ５０は、レンズカバー２０をカバー閉方向２１２へ付勢する。レンズカバー２０は、開閉用バネ５０の付勢力によって、カバー閉方向２１２へ回動することができる。
【００３１】
バネ端距離８０は、レンズカバー２０が閉位置２０２に位置するときに最も長くなるが、このときのバネ端距離８０は、開閉用バネ５０を解放状態のしたときのバネ端距離８０よりも短い。従って、レンズカバー２０は、閉位置２０２に位置するときも、カバー閉方向２１２へ付勢されるので、開位置停止部４０に当接して安定して閉位置２０２に停止することができる。
【００３２】
一方、レンズカバー２０の閉位置２０２から開位置２００への回動は、モータ７０によって実現する。モータ７０は、駆動力によって、ピン３０を閉位置２０２から開位置２００へ移動させる。従って、レンズカバー２０は、モータ７０からの付勢力によってカバー開方向２１０へ回動することができる。レンズカバー２０がモータ７０から付勢される力は、レンズカバー２０が開閉用バネ５０から付勢される力よりも大きい。従って、レンズカバー２０は、モータ７０によって付勢されると、開閉用バネ５０からの付勢力に抗して、カバー開方向２１０へ回動することができる。また、開閉用バネ５０の周回部５６は、固定されていないので、周回部５６が固定されたバネを用いた場合に比べてバネがレンズカバー２０を付勢する力が小さくなる。従って、モータ７０の駆動力も小さくすることができる。
【００３３】
モータ７０はまた、ピン３０へ付勢力を供給、または停止する。レンズカバー２０は、モータ７０から付勢されていないとき、開閉用バネ５０によってカバー閉方向２１２に付勢され、閉位置２０２に停止する。モータ７０からピン３０すなわちレンズカバー２０へ付勢力が供給されると、レンズカバー２０は、開閉用バネ５０の付勢力に抗して閉位置２０２から開位置２００へ回動する。モータ７０が付勢力の供給を停止すると、レンズカバー２０は、再び、開閉用バネ５０の付勢力によって開位置２００から閉位置２０２に移動する。このように、レンズカバー２０は、開閉用バネ５０によって常に開位置２００から閉位置２０２へ付勢され、さらに、モータ７０から付勢を受けると、開閉用バネ５０の付勢に抗して閉位置２０２から開位置２００の方向に回動するので、レンズカバー２０は、開位置２００及び閉位置２０２へ自在に移動することができる。
【００３４】
ここで、レンズカバー２０の動作を説明する。デジタルカメラ１０が停止した状態のとき、レンズカバー２０は、閉位置２０２に位置する。ユーザによって電源スイッチ１４がオンされると、モータ７０が駆動し、ピン３０は、カバー開方向２１０へ回動する。すなわち、レンズカバー２０が開き、レンズ部１２が現れる。以上で、撮影の準備が整い、ユーザは、撮影を行うことができる。撮影が終了し、ユーザによって電源スイッチ１４がオフされると、モータ７０は駆動を停止する。このとき、ピン３０は、開閉用バネ５０からの付勢力によってカバー閉方向２１２へ移動し、レンズカバー２０は閉じる。以上で、レンズカバー２０の動作が終了する。
【００３５】
図７は、第２実施形態のデジタルカメラ１０における開閉用バネ５０の荷重曲線９０を示す。横軸はレンズカバー２０の位置を示し、縦軸は開閉用バネ５０がレンズカバー２０を付勢する力を示す。開位置２００及び閉位置２０２の間に設けられた開閉切換位置２０４にレンズカバー２０が位置するときに、開閉用バネ５０がレンズカバー２０を付勢する力は最も大きくなる。レンズカバー２０が開位置２００と開閉切換位置２０４の間に位置するときは、レンズカバー２０はカバー開方向２１０に付勢される。また、レンズカバー２０が閉位置２０２と開閉切換位置２０４の間に位置するときは、レンズカバー２０はカバー閉方向２１２に付勢される。この点で、本実施の形態は第１実施形態と異なる。
【００３６】
レンズカバー２０は、開位置２００に位置するときは、開閉用バネ５０からカバー開方向２１０へ付勢される。また、レンズカバー２０は、閉位置２０２に位置するときは、開閉用バネ５０からカバー閉方向２１２へ付勢される。これによって、レンズカバー２０は、開位置２００及び閉位置２０２に安定して停止することができる。
【００３７】
レンズカバー２０が閉位置２０２に位置するときに、開閉用バネ５０がレンズカバー２０をカバー閉方向２０２に付勢する力は、レンズカバー２０が開位置２００に位置するときに、開閉用バネ５０がレンズカバー２０をカバー開方向２１０に付勢する力よりも大きい。従って、レンズカバー２０が閉位置２０２に位置するときに外部から衝撃を受けても、レンズカバー２０は、比較的大きな付勢力を受けているので、安定して閉位置２０２に停止することができる。
【００３８】
図８は、第２実施形態におけるデジタルカメラ１０のハウジング１００、ハウジング１００に取り付けられたレンズカバー２０、及び開閉用バネ５０を示す。本図を用いて、図７において説明した荷重曲線９０を実現するカバー足部２４及び開閉用バネ５０の構成を説明する。
【００３９】
本実施の形態の開閉用バネ５０は、レンズカバー２０が開閉切換位置２０４に位置するときに、バネ端距離８０が最も短くなるように、すなわち開閉用バネ５０がレンズカバー２０を付勢する力が最大となるように、固定端５２を取り付ける位置すなわち固定端掛け部３４の位置が設定されている。この点で、本実施形態のデジタルカメラ１０は第１実施形態と異なる。
【００４０】
レンズカバー２０が開位置２００と閉位置２０２の間を移動するとき、開閉用バネ５０は、バネ端距離８０を変化させながら、固定端５２を中心に回動する。レンズカバー２０が移動するとき、開閉用バネ５０は、バネ端距離８０を変化させながら、固定端５２を中心に回動する。このとき、レンズカバー２０が開閉用バネ５０を付勢する方向は変化する。これによって、開閉用バネ５０は、開位置２００と開閉切換位置２０４の間の領域においては、レンズカバー２０をカバー開方向２１０へ付勢し、閉位置２０２と開閉切換位置２０４の間の領域においては、レンズカバー２０をカバー閉方向２１２へ付勢することができる。
【００４１】
また、このとき開閉用バネ５０がレンズカバー２０を付勢する力は、バネ端距離８０によって決まるので、開位置２００と閉位置２０２の間の任意の位置におけるバネ端距離８０をきめることによって、図７で説明した荷重曲線９０を自由に設定することができる。従って、所望の荷重曲線９０を描くように移動端５４の位置、すなわち固定端掛け部３４の位置を自由に設定することができる。
【００４２】
ここで、レンズカバー２０の動作を説明する。デジタルカメラ１０が停止した状態のとき、レンズカバー２０は、カバー閉方向２１２へ付勢され、閉位置２０２に停止する。ユーザによって、電源スイッチ１４がオンされると、モータ７０が駆動し、モータ７０は、レンズカバー２０をカバー開方向２１０へ付勢する。このときモータ７０がレンズカバー２０をカバー開方向２１０へ付勢する力は、開閉用バネ５０がレンズカバー２０をカバー閉方向２１２へ付勢する力より大きいので、レンズカバー２０は、カバー開方向２１０へ移動する。レンズカバー２０は、開閉切換位置２０４を通過すると開閉用バネ５０によってカバー開方向２１０に付勢される。レンズカバー２０は、開位置２００に達すると、開位置停止部４０に当接して停止する。以上の動作によって、レンズカバー２０が開く。このように、開閉切換位置２０４を通過すると、レンズカバー２０は、開閉用バネ５０によってカバー開方向２１０へ付勢される。従って、レンズカバー２０が開閉切換位置２０４を通過した後は、モータ７０からの付勢力がなくても、開位置２００に移動することができる。
【００４３】
ユーザによって、電源スイッチ１４がオフされると、モータ７０が駆動し、モータ７０は、レンズカバー２０をカバー開方向２１０へ付勢する。このときのモータ７０及び開閉用バネ５０の動作は、レンズカバー２０が開くときのモータ７０及び開閉用バネ５０の動作と同様なので説明を省略する。
【００４４】
これ以外のデジタルカメラ１０の構成及び動作は、第１実施の形態において図１から図６を用いて説明したデジタルカメラ１０の構成及び動作と同様なので説明を省略する。
【００４５】
以上のように、本実施の形態においては、レンズカバー２０は、開位置２００及び閉位置２０２に安定して停止することができる。また、開位置２００及び閉位置２０２の一方から他方へレンズカバー２０を移動させる場合、レンズカバー２０は、開閉切換位置２０４を通過すると開閉用バネ５０の付勢力によって他方に移動するので、モータ７０は、レンズカバー２０が開閉切換位置２０４に達するまでレンズカバー２０を付勢すればよい。
【００４６】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４７】
そうした第１の変更例としては、本実施の形態においては、レンズカバー２０の開閉は、それぞれ電源スイッチ１４のオンオフに連動したが、レンズカバー２０の開閉は電源スイッチ１４と独立して行われてもよい。すなわち、レンズカバー２０が回動するきっかけは、電源スイッチ１４のオンオフ以外でもよい。例えば、ユーザからの入力によってレンズカバー２０が開閉してもよい。この場合、デジタルカメラ１０は、レンズカバー２０の開閉を指定するカバー開閉ボタンをさらに有してもよい。
【００４８】
第２の変更例としては、レンズカバー２０はフラッシュ部１６と連動してもよい。例えば、レンズカバー２０が開くとフラッシュ部１６が突出してもよい。また例えば、電源スイッチ１４がオンされると、レンズカバー２０が開き、かつフラッシュ部１６が突出してもよい。
【００４９】
第３の変更例としては、第１実施形態においては、開閉用バネ５０は、カバー閉方向２１２へレンズカバー２０を付勢したが、開閉用バネ５０は、カバー開方向２１０へレンズカバー２０を付勢する構成でもよい。
【００５０】
第４の変更例としては、第２実施形態においては、レンズカバー２０が開位置２００に位置するときの開閉用バネ５０がレンズカバー２０を付勢する力は、レンズカバー２０が閉位置２０２に位置するときの開閉用バネ５０がレンズカバー２０を付勢する力に比べて大きいが、レンズカバー２０が開位置２００及び閉位置２０２に位置するときの開閉用バネ５０がレンズカバー２０を付勢する力は等しくてもよい。また、レンズカバー２０が開位置２００に位置するときの開閉用バネ５０がレンズカバー２０を付勢する力は、レンズカバー２０が閉位置２０２に位置するときの開閉用バネ５０がレンズカバー２０を付勢する力よりも大きくてもよい。
【００５１】
第５の変更例としては、第２の変更例においては、開閉用バネ５０は、レンズカバー２０が開閉切換位置２０４に位置するときにレンズカバー２０を付勢する力が最大となったが、レンズカバー２０が開位置２００及び閉位置２０２の間を移動するときに開閉用バネ５０がレンズカバー２０を付勢する力は、これに限定されず、所望の値に自由に変更することができる。すなわち、固定端５２の位置を自由に設定することができる。
【００５２】
【発明の効果】
上記説明から明らかなように、本発明によればレンズカバーを移動させる駆動力を少なくすることができ、モータを小型化することができる。
【図面の簡単な説明】
【図１】デジタルカメラ１０の前面の外観を示す図である。
【図２】ハウジング１００の裏面及びハウジング１００の裏面に取り付けられたレンズカバー２０を示す図である。
【図３】レンズカバー２０を回動軸２６の軸方向から見た図である。
【図４】レンズカバー２０を回動軸２６の軸方向に対して垂直な方向から見た断面図である。
【図５】ハウジング１００の裏面に取り付けられたレンズカバー２０、開閉用バネ５０、及びモータ７０の構成を示す斜視図である。
【図６】図５に示したカバー足部２４、開閉用バネ５０、及びモータ７０を拡大して示す図である。
【図７】第２実施形態のデジタルカメラ１０における開閉用バネ５０の荷重曲線９０を示す図である。
【図８】第２実施形態におけるデジタルカメラ１０のハウジング１００、レンズカバー２０、及び開閉用バネ５０を示す図である。
【符号の説明】
１０…デジタルカメラ    １２…レンズ部    １４…電源スイッチ    １６…フラッシュ部    １８…開口部    ２０…レンズカバー    ２２…カバー板部    ２４…カバー足部    ２６…回動軸    ２８…貫通孔    ３０…ピン    ３２…移動端掛け部    ３４…固定端掛け部    ４０…開位置停止部    ４２…閉位置停止部    ４４…ガイド    ４６…ベース    ５０…開閉用バネ    ５２…固定端    ５４…移動端    ５６…周回部    ７０…モータ    ７２…支軸    ７４…凹部    ８０…バネ端距離    ９０…荷重曲線    １００…ハウジング
【図１】
0004073598.tif 000002
【図２】
0004073598.tif 000003
【図３】
0004073598.tif 000004
【図４】
0004073598.tif 000005
【図５】
0004073598.tif 000006
【図６】
0004073598.tif 000007
【図７】
0004073598.tif 000008
【図８】
0004073598.tif 000009